(57)【要約】【課題】宛先表示の誤りを防止できる段ボール箱を得る。【解決手段】波形板１０ａの表面にライナ１０ｂを接合した段ボール１０からなり、底壁１２，２２，３２，４２と、周壁１〜４と、周壁１〜４の上縁に連結された中蓋片２１，４１と、この中蓋片２１，４１の上方を覆う外蓋片１１とを備え、前記外蓋片１１に、商品とともに箱内に収納される宛先表示シート７の宛先表示部７１を外方から視認させる窓１４が開口している。【選択図】図３
2004175454.tif 000002
【特許請求の範囲】
【請求項１】
波形板の表面にライナを接合した段ボールからなり、商品を収納する箱であって、
底壁と、周壁と、周壁の上縁に連結された中蓋片と、この中蓋片の上方を覆う外蓋片とを備え、
前記外蓋片に、前記商品とともに箱内に収納される宛先表示シートの宛先表示部を外方から視認させる窓が開口している窓付き段ボール箱。
【請求項２】
請求項１において、
前記周壁は平面視で四角形であって、連なった第１ないし第４の側板で形成されており、
相対向する第２および第４の側板のそれぞれの上縁に前記中蓋片が連結され、第１の側板の上縁に前記外蓋片が連結されている窓付き段ボール箱。
【請求項３】
請求項１または２において、
前記中蓋片の上面が前記宛先表示シートの支持面を形成している窓付き段ボール箱。
【請求項４】
請求項３において、
前記中蓋片と第２および第４の側板との連結部に、切り目を入れることにより前記宛先表示シートの位置規制を行うストッパ片が形成されている窓付き段ボール箱。
【請求項５】
請求項３または４において、
前記第３の側板の上縁に、前記外蓋片の下側に折り込まれて前記宛先表示シートの上面を押さえる押え片が連結されている窓付き段ボール箱。
【請求項６】
請求項１または２において、
前記第３の側板の上縁に、前記外蓋片の下側に折り込まれて前記宛先表示シートの上面を押さえる押え片が連結され、
少なくとも一方の中蓋片または押え片に、前記窓に対応した切欠き部が設けられている窓付き段ボール箱。
【請求項７】
請求項１または２において、
前記第３の側板の上縁に、前記外蓋片の下側に折り込まれる中蓋片が連結され、
少なくとも一つの中蓋片の上縁に、箱内に折り込まれて箱の内底面から所定間隔離れた上方で箱内を仕切る仕切り片が連結されている窓付き段ボール箱。
【請求項８】
請求項７において、
前記仕切り片が連結された中蓋片に切り目を入れることにより、前記仕切り片を補強する補強片が形成されている窓付き段ボール箱。
【請求項９】
請求項７において、
前記仕切り片に切り目を入れることにより、前記宛先表示シートの上面を押さえる押え部が形成されている窓付き段ボール箱。
【請求項１０】
請求項７から９のいずれかにおいて、
少なくとも一つの中蓋片に、前記窓に対応した切欠き部が設けられている窓付き段ボール箱。
【請求項１１】
請求項１から１０のいずれかにおいて、
前記外蓋片の内面に、前記窓を覆う透明な封止シートが取り付けられている窓付き段ボール箱。
【発明の詳細な説明】
【技術分野】
【０００１】
本発明は、運送用ケース等として使用する段ボール箱に関する。
【背景技術】
【０００２】
段ボール箱は、横方向に稜線Ｒが向いた波形板の両面にライナを接合した縦方向に長い帯状の段ボール原反から切り出され、製函機で切り目や折り目を入れ、折り目から折り曲げて箱体に組み入れるように構成されている。
【０００３】
商品を箱詰めした段ボール箱には、内容物の表示、発送元等は側板の外面または上蓋の上面に印刷され、送り先は、商品を箱詰めしたのち、段ボール箱の上面または４つの側板の表面に定められた宛先表示部に、宛先を印刷した粘着紙からなる宛先ラベルを貼り付けるのが通例であり、ラベルの汚れや破れを防止するため、透明な合成樹脂フィルムを貼り付けてラベルの上を覆ったり、透明な合成樹脂フィルム製の封筒の中にラベルを入れたものを段ボール箱に貼り付ける、などの方法がとられている（特許文献１参照）。
【特許文献１】特開２００２−１２８０６３公報
【０００４】
しかし、従来のラベルやラベル入りの封筒を段ボール箱に貼り付ける表示方法では、箱内に商品を詰めて蓋をしたのち、宛先ラベルを貼るので、ラベルの貼り誤りが生じ易い。
【発明の開示】
【発明が解決しようとする課題】
【０００５】
本発明は、このような課題を解消し、宛先の誤りを防止できる段ボール箱を得ることを目的とする。
【課題を解決するための手段】
【０００６】
上記目的を達成するために、本発明に係る窓付き段ボール箱は、波形板の表面にライナを接合した段ボールからなり、商品を収納する箱であって、底壁と、周壁と、周壁の上縁に連結された中蓋片と、この中蓋片の上方を覆う外蓋片とを備え、前記外蓋片に、前記商品とともに箱内に収納される宛先表示シートの宛先表示部を外方から視認させる窓が開口している。
【０００７】
上記構成によれば、外蓋片の開口から宛先表示シートの宛先表示部を視認できる。通常、商品と宛先表示シートは、箱詰め前に棚や床などの待機場所に一緒に置かれているので、この待機場所から商品および宛先表示シートをそのまま箱内に収納することにより、箱詰め後の宛先表示の場合のように商品と宛先表示シートとが離れることがなくなるので、宛先表示の誤りが極力防止される。
【０００８】
本発明の好ましい実施形態では、前記周壁は平面視で四角形であって、連なった第１ないし第４の側板で形成されており、相対向する第２および第４の側板のそれぞれの上縁に前記中蓋片が連結され、第１の側板の上縁に前記外蓋片が連結されている。上記構成によれば、内方に向かって折り曲げられた相対向する２つの中蓋片により、箱の強度が向上する。
【０００９】
本発明の好ましい実施形態では、前記中蓋片の上面が前記宛先表示シートの支持面を形成している。上記構成によれば、前記宛先表示シートが前記中蓋片の上面に置かれる。中蓋片の上面に置かれた宛先表示シートは、中蓋片と外蓋片の間に挟まれて保持される。商品の箱詰めの際に、商品と一緒に待機場所に置かれている宛先表示シートを中蓋片の上に置くことで、宛先表示がなされる。したがって、箱詰め後の宛先表示の場合のように商品と宛先表示シートとが離れることがないので、宛先表示の誤りが極力防止される。また、内方に向かって折り曲げられた相対向する２つの中蓋片の上に宛先表示シートが載置されるので、この宛先表示シートの姿勢が安定する。
【００１０】
また、本発明の好ましい実施形態では、前記中蓋片と第２および第４の側板との連結部に、切り目を入れることにより前記宛先表示シートの位置規制を行うストッパ片が形成されている。上記構成によれば、簡単な構造により宛先表示シートの位置決めがなされる。
【００１１】
また、本発明の好ましい実施形態では、前記第３の側板の上縁に、前記外蓋片の下側に折り込まれて前記宛先表示シートの上面を押さえる押え片が連結されている。上記構成によれば、押え片により、中蓋片の上に載置された宛先表示シートが、第３の側板側、つまり第１の側板に連結された外蓋片と反対側に移動するのを阻止できる。
【００１２】
本発明の好ましい実施形態では、前記第３の側板の上縁に、前記外蓋片の下側に折り込まれて前記宛先表示シートの上面を押さえる押え片が連結され、少なくとも一方の中蓋片または押え片に、前記窓に対応した切欠き部が設けられている。上記構成によれば、宛先表示シートが、第３の側板側、つまり第１の側板に連結された外蓋片と反対側に移動するのを阻止できる。前記宛先表示シートが商品とともに中蓋片および押え片の下に収納されている状態で、前記中蓋片および押え片に設けられた前記切欠き部と外蓋片に開口している窓により、前記宛先表示シートの宛先表示部を視認することができる。
【００１３】
本発明の好ましい実施形態では、前記第３の側板の上縁に、前記外蓋片の下側に折り込まれる中蓋片が連結され、少なくとも一つの中蓋片の上縁に、箱内に折り込まれて箱の内底面から所定間隔離れた上方で箱内を仕切る仕切り片が連結されている。上記構成によれば、箱内に収納される前記宛先表示シートが箱の大きさよりも小さい場合、前記仕切り片によって箱内を仕切ることで、宛先表示シートの位置を固定し、前記宛先表示シートの宛先表示部を前記外蓋片の窓の位置に合わせることができる。
【００１４】
また、本発明の好ましい実施形態では、前記仕切り片が連結された中蓋片に切り目を入れることにより、前記仕切り片を補強する補強片が形成されている。前記補強片により、仕切り片の変形を防止することで、運送中に箱内で宛先表示シートおよび商品が移動するのを阻止できる。
【００１５】
また、本発明の好ましい実施形態では、前記中蓋片に形成した仕切り片に切り目を入れることにより、前記宛先表示シートの上面を押さえる押え部が形成されている。上記構成によれば、押え部により、前記宛先表示シートが、第２または第３の側板側に移動するのを阻止できる。
【００１６】
また、本発明の好ましい実施形態では、少なくとも一つの中蓋片に、前記窓に対応した切欠き部が設けられている。上記構成によれば、前記宛先表示シートが商品とともに中蓋片の下に収納された状態で、前記中蓋片に設けられた前記切欠き部により、前記宛先表示シートの宛先表示部を視認することができる。
【００１７】
また、本発明の好ましい実施形態では、さらに前記外蓋片の内面に、前記窓を覆う透明な封止シートが取り付けられている。上記構成によれば、宛先表示シートが汚れたり破損したりすることが少なくなる。
【発明の効果】
【００１８】
本発明の段ボール箱によれば、底壁と、周壁と、この周壁の上縁に連結された中蓋片と、この中蓋片の上方を覆う外蓋片とを有し、前記外蓋片に、商品とともに箱内に収納される中蓋片の上面に置かれる宛先表示シートの宛先表示部を視認させる窓が開口しているから、前記宛先表示シートを商品と一緒に箱内に収納し、外蓋片を閉じるだけで、宛先を表示することができる。このように、商品の箱詰め作業中に宛先表示シートを箱内に入れるので、商品と宛先表示シートとが離れることがないから、宛先の表示を誤るおそれがなくなる。
【発明を実施するための最良の形態】
【００１９】
本発明の実施形態を図面に基づいて説明する。
図１（Ａ）は本発明の一実施形態である段ボール箱の展開図である。この段ボール箱は、図１（Ｂ）に示すように、波形板１０ａの両面にライナ１０ｂ，１０ｂを貼り合せた紙製または樹脂製の両面段ボール１０からなり、図１（Ａ）の折り目１ｃ，２ｃ，３ｃ，４ｃに沿って折り曲げられて、上方から見て四角形の周壁を形成する第１ないし第４の側板１〜４と、横幅の狭い接続片５とが形成されている。さらに、各側板１〜４の上部にそれぞれ、折り目１ａ〜４ａを介して一体形成された外蓋片１１、第１の中蓋片２１、押え片３１および第２の中蓋片４１を有し、さらに、各側板１〜４の下部にそれぞれ、折り目１ｂ〜４ｂを介して、底壁を形成する第１ないし第４の底板片１２，２２，３２，４２が一体形成されている。また、接続片５の上部に、折り目５ａを介して一体形成された折曲げ片５１を有する。前記第１と第３の側板１，３の横幅ｃ１，ｃ３は同一であり、第２と第４の側板２，４の横幅ｃ２，ｃ４も同一である。
【００２０】
この段ボール箱を形成する段ボール１０は、その波形板１０ａの稜線Ｒが、前記折り目１ａ〜５ａ，１ｂ〜４ｂと直交している。したがって、前記外蓋片１１、中蓋片２１，４１、押え片３１および折曲げ片５１は、その稜線Ｒが、側板１, ２，３，４および折曲げ片５１に連なる折り目１ａ〜５ａ（基端部Ａ）から先端に向かう方向に沿って延びている。前記外蓋片１１，中蓋片２１，４１、押え片３１はそれぞれほぼ矩形であって、基端部Ａから先端までの長さは、外蓋片１１の長さａ１が第２および第４の側板２，４の横幅ｃ２，ｃ４と同一寸法である。外蓋片１１の先端部には、折り目１３ａを介して突出した係合片１３が形成され、さらに、外蓋片１１の隅部に窓１４が形成されている。
【００２１】
また、中蓋片２１，４１の長さａ２，ａ４は前記ａ１より短く、かつ側板１，３の横幅ｃ１，ｃ３の１／２以下の短い長さに形成されている。さらに、中蓋片２１，４１には、側板２，４との連結部に所定の間隔でそれぞれ、矩形の３辺を形成する２つの切り目２３，２４、４３、４４を入れてあり、中蓋片２１，４１を折り目２ａ，４ａで折り曲げたとき、それぞれ２つのストッパ片２３，２４、４３，４４が上方に突出するように形成される。また、押え片３１の長さａ３は外蓋片１１の長さａ１より短く、かつ前記窓１４に望む部分を切り欠いた切欠き部３３が形成されており、さらに折り目３ａの部分に、外蓋片１１の前記係合片１３が挿入される係合スリット３４が形成されている。また、左端の接続片５には、折り目５ａを介して、基端部Ａから突出する短い長さの折曲げ片５１が形成されている。
【００２２】
他方、各底板片１２，２２，３２，４２の折り目１ｂ，２ｂ，３ｂ，４ｂ（基端部Ｂ）から先端までの長さｂ１，ｂ２，ｂ３，ｂ４は、第２および第４の側板２，４の横幅ｃ２，ｃ４の１／２より長く、先端の中央部に、それぞれ係合凹部１５，３５が形成されており、基端部Ｂから係合凹部１５，３５の底までの長さｂ１５，ｂ３５が、ｃ２，ｃ４の１／２の長さに設定されている。さらに、底板片１２，３２には、その側縁と折り目１ｂ，３ｂとの交点から係合凹部１５，３５に達する斜めの折り目１２ｂ，３２ｂが形成され、三角形の差込部１６，３６が形成されている。
【００２３】
次に、段ボール箱の組立てと箱詰めの作業について説明する。前記段ボール箱は、図２（Ａ）に示すように、折り目１ｃ〜４ｃに沿って折り曲げ、接続片５の外面を側板４の内面に重ね合わせ、止金６や接着剤によって固着する。これにより、段ボール箱の周壁が形成される。つぎに、短い底板片２２，４２を折り目２ｂ，４ｂに沿って内側に曲げたのち、長い底板片１２、３２を折り目１ｂ，３ｂから折り曲げてその一端に形成された三角形状の差込部１６，３６を底板片２２，４２の下側に差し込み、底板片１２，３２に形成された係合凹部１５，３５同士を係合させることで、図２（Ｂ）に示すように底閉めがなされ、段ボール箱の底壁が形成される。
【００２４】
前記のように底閉めされた段ボール箱を上下に反転させて上向きとし、内部に商品を詰めたのち、段ボール箱の上部開口の蓋閉めを次の手順で行う。図３（Ａ）に示すように、中蓋片２１，４１を折り目２ａ，４ａに沿って内側に折り曲げる。このとき、中蓋片２１，４１に形成されたストッパ片２３，２４、４３，４４が、中蓋片２１，４１の上面よりも上方に突出する。つぎに、商品と一緒に置かれていた、段ボール箱を送付する宛先８を記載したシート（以下、「宛先表示シート」という）７を、図３（Ｂ）に示すように、中蓋片２１，４１の上に、かつ中蓋片２１，４１の上面から突出したストッパ片２３，２４、４３，４４の間に置く。
【００２５】
このように、一緒に待機場所に置かれていた商品とその宛先表示シート７を、箱詰め作業において、連続して箱内に入れるので、商品と宛先表示シート７が分離することがないから、宛先間違いがなくなる。この矩形の宛先表示シート７の大きさは、縦寸法ｅ１が中蓋片２１，４１の横幅ｃ２，ｃ４（図１（Ａ））より僅かに小さく、横寸法ｅ２が外蓋片１１の幅ｃ１よりも僅かに小さい。宛先表示シート７における外蓋片１１の窓１４に対応する部分に予め設定された宛先表示部７１内に、宛先８が記載されている。
【００２６】
次に、押え片３１を折り目３ａで内側に折り曲げる。このとき、宛先表示シート７の手前側は中蓋片２１，４１と押え片３１の間に挟まれるが、切欠き部３３が設けられているため、宛先表示部７１が押え片３１によって覆われることがない。次に、外蓋片１１を折り目１ａから内側に折り曲げ、係合片１３を折り目１３ａで内側に折り曲げて、側板３に形成した係合スリット３４に挿入して係合させる。これにより、宛先表示シート７は中蓋片２１，４１と外蓋片１１の間に挟まれる。図４は、この状態を示す図で、宛先表示シート７に表示された宛先８は、窓１４を通して外方から視認することができる。
【００２７】
図５は、蓋閉めした段ボール箱を側方から見た図で、ストッパ片２３，２４、４３，４４は、外蓋片１１の上面より突出しており、図３（Ｂ）に示す中蓋片２１，４１と押え片３１および外蓋片１１の間に挟まれた宛先表示シート７が、第１の側板１側、または第４の側板４側から外方にずれ出るのを阻止する位置規制を行う。
【００２８】
図６〜図８は第２実施形態を示す。この実施形態では、図６に示す一方の中蓋片２１Ａと押え片３１に、窓用の切欠き部２８、３３がそれぞれ設けられ、外蓋片１１にも窓用の開口１４が形成されている。他方、段ボール箱に入れる前の工程で、窓付きのＡ封筒９に、宛先８を表示した振替用紙と共に、その送り先に特有の冊子のような商品を入れ、宛先８を窓９１に臨ませる。窓９１の位置は、Ａ封筒９を段ボール箱に入れた状態で外蓋片１１の開口１４に対応するように設定されている。Ａ封筒９とは別に、複数の送り先に共通の冊子のような商品をＢ封筒１９に入れておく。Ｂ封筒１９には窓を設けない。Ｂ封筒１９を下に、Ａ封筒９を上にして、段ボール箱に入れ、図７に示すように、一方と他方の中蓋片２１Ａ，４１Ａを内側に折り曲げてＡ封筒９に重ね、さらに押え片３１を内側に折り曲げる。最後に、図８に示すように、外蓋片１１を折り曲げて、その係合片１３を係合スリット３４に係合させて蓋閉めする。この状態で、宛先８を外蓋片１１の開口１４から視認することができる。両封筒９，１９は、例えば樹脂シート製とする。Ｂ封筒１９は省略して、すべての冊子をＡ封筒９に入れてもよい。
【００２９】
図９〜図１２は第３実施形態を示す。この実施形態では、図９に示すように、第３および第４の側板３，４に連結された中蓋片４１Ｂ，５１Ｂの上縁に、箱内に折り込まれて箱内を仕切る仕切り片５７Ｂ，４７Ｂが連結されている。中蓋片４１Ｂには、切り目が入れられて補強片４８Ｂ，４８Ｂが形成されている。箱内には、大きさの異なるＡ商品６０およびＢ商品６１が収納される。このＡ商品６０の平面寸法は、対応する第１〜４の側板１〜４の横幅ｃ１〜ｃ４（図１）よりも小さく、Ｂ商品６１の平面寸法は、対応する第１〜４の側板１〜４の横幅ｃ１〜ｃ４と同じ寸法である。このとき、仕切り片４７Ｂ，５７Ｂの突出長さ（折り込まれた後の高さに相当）がそれぞれＡ商品６０の厚みｅ１と宛先表示シート７の厚みとを合わせた厚みと同じ寸法に設定され、箱の側面高さ（箱の深さ）よりも浅くなっている。仕切り片４７Ｂ，５７Ｂは、図１０に示すように、箱内に折り込まれた状態で、箱の内底面１００から、Ｂ商品６１の厚さｅ２にほぼ合致する所定間隔だけ上方に離れた位置で、箱内を仕切っている。これにより、仕切り片４７Ｂ，５７Ｂの下方にＢ商品６１が納まるようになっている。さらに、Ａ商品６０およびＢ商品６１とともに箱内に収納される宛先表示シート７は、Ａ商品６０の平面寸法と同じ寸法に設定されている。また、中蓋片４１Ｂから仕切り片４７Ｂにかけて係合スリット４９Ｂが形成され、中蓋片５１Ｂに連結された仕切り片５７Ｂには、この係合スリット４９Ｂに対応する係合片５９Ｂがスリット５６Ｂを介して形成されている。さらに、中蓋片２１Ｂには、切欠き部２９が形成されている。
【００３０】
このような構成の段ボール箱に対して、図１１のように、箱内にＡ商品６０およびＢ商品６１と宛先表示シート７とを収納する。まず、箱内にＢ商品６１を入れて、中蓋片４１Ｂ，５１Ｂを順に内側へ折り曲げ、同時に仕切り片４７Ｂ，５７Ｂ（図９）が箱内に折り込まれる。このとき、図９の係合スリット４９Ｂに係合片５９Ｂが係合される。この中蓋片４１Ｂと仕切り片４７Ｂと第４の側板４とで形成される内側空間、および中蓋片５１Ｂと仕切り片５７Ｂと第３の側板３とで形成される内側空間がデッドスペースとなり、図１１のように、箱の大きさより小さな宛先表示シート７およびＡ商品６０の大きさに合わせて箱内を仕切ることができる。このデッドスペースに、仕切り片４７Ｂに形成された補強片４８Ｂ，４８Ｂが折り込まれる。次に、図９に示す上面に宛先表示シート７を載せたＡ商品６０をＢ商品６１の上に重ねて箱内に入れ、切欠き部２９が形成された中蓋片２１Ｂが折り曲げられる。最後に、図１２に示すように、外蓋片１１を折り曲げて、その係合片１３を係合スリット３４に係合させて蓋閉めする。この状態で、宛先８を外蓋片１１の開口１４から視認することができる。このように、第３実施形態では、仕切り片４７Ｂ，５７Ｂにより、宛先表示シート７を所定の位置に位置決めし、かつそれぞれ異なる大きさのＡ商品６０およびＢ商品６１の箱内での移動を防止することができる。また、箱内のデッドスペース内に折り込まれる図１１の補強片４８Ｂ，４８Ｂが仕切り片４７Ｂを補強して変形を防止することで、運送中に宛先表示シート７およびＡ商品６０が箱内で移動することを防止する。
【００３１】
図１３および１４は第４実施形態を示す。この実施形態では、図１３の第２および第３の側板２，３に連結された中蓋片２１Ｃ，５１Ｃの上縁に、仕切り片２７Ｃ，５７Ｃが連結されている。中蓋片２１Ｃに連結された仕切り片２７Ｃに切り目を入れることにより、押え部２８Ｃ，２８Ｃが形成されている。箱には、第３実施形態と同様に、異なる大きさのＡ商品６０およびＢ商品６１が収納される。Ａ商品６０およびＢ商品６１の平面寸法ならびに厚さｅ１，ｅ２と、第１〜４の側板１〜４の横幅ｃ１〜ｃ４（図１）および仕切り片２７Ｃ，５７Ｃの突出長さとの関係は、第３実施形態と同一である。さらに、中蓋片２１Ｃに連結された仕切り片２７Ｃには、スリット２６Ｃを介して係合片２９が、中蓋片５１Ｃに連結された仕切り片５７Ｃには前記係合片２９Ｃに対応する係合スリット５９Ｃが、それぞれ形成されている。
【００３２】
このような構成の段ボール箱に対して、図１４のように、箱内にＡ商品６０およびＢ商品６１と宛先表示シート７とを収納する。まず、箱内にＢ商品６１を入れて、中蓋片２１Ｃ，５１Ｃを順に内側へ折り曲げ、同時に仕切り片２７Ｃ，５７Ｃ（図１３）が箱内に折り込まれる。また、仕切り片２７Ｃを折り曲げることにより、押え部２８Ｃ，２８Ｃが形成される。さらに、このとき、図１３の係合スリット５９Ｃに係合片２９Ｃが係合される。次に、図１３に示す上面に宛先表示シート７を載せたＡ商品６０をＢ商品６１の上に重ねて箱内の押え部２８Ｃ，２８Ｃの下に入れ、第４の側板４に連結された中蓋片４１Ｃが折り曲げられる。最後に、前記第３実施形態の図１２と同様に、外蓋片１１を折り曲げて、その係合片１３を係合スリット３４に係合させて蓋閉めする。この状態で、宛先８を外蓋片１１の開口１４から視認することができる。また、押え部２８Ｃ，２８Ｃによれば、図１４に示されるように、Ａ商品６０およびＢ商品６１に重ねて箱内に収納される宛先表示シート７が、第２の側板２側に移動するのを阻止できる。
【００３３】
なお、前記各実施形態では、外蓋片１１に設けた窓１４を単なる開口部としたが、外部からの汚損を防止するため、外蓋片１１の内面に、窓１４を覆う透明な合成樹脂フィルムのような封止シートを貼り付けてもよい。また、仕切り片は、２つまたは３つの中蓋片に設けてもよく、また、押え部は全ての仕切り片に設けてもよい。
【図面の簡単な説明】
【００３４】
【図１】（Ａ）は本発明の第１実施形態である段ボール箱の展開図、（Ｂ）は同段ボールの拡大斜視図である。
【図２】（Ａ）は同段ボール箱の周壁を形成したときの状態を示す斜視図、（Ｂ）は同段ボールの底壁を形成したときの状態を示す斜視図である。
【図３】（Ａ）は同段ボール箱の中蓋片を折り曲げたときの状態を示す斜視図、（Ｂ）は中蓋片の上に宛先シートを置いた状態を示す斜視図である。
【図４】同段ボール箱の外蓋片を閉じた状態を示す斜視図である。
【図５】同段ボール箱のストッパ片の状態を示す斜視図である。
【図６】本発明の第２実施形態である段ボール箱を開けた状態で示す斜視図である。
【図７】同段ボール箱の中蓋片を閉じた状態を示す斜視図である。
【図８】同段ボール箱の外蓋片を閉じた状態を示す斜視図である。
【図９】本発明の第３実施形態である段ボール箱を開けた状態で示す斜視図である。
【図１０】図９のＸ−Ｘ線に沿った断面図である。
【図１１】同段ボール箱の中蓋片を閉じた状態を示す斜視図である。
【図１２】同段ボール箱の外蓋片を閉じた状態を示す斜視図である。
【図１３】本発明の第４実施形態である段ボール箱を開けた状態で示す斜視図である。
【図１４】同段ボール箱の中蓋片を閉じた状態を示す斜視図である。
【符号の説明】
【００３５】
１〜４  側板（側壁）
１ａ〜５ａ  折り目（基端部Ａ）
１ｂ〜４ｂ  折り目（基端部Ｂ）
１ｃ〜４ｃ  折り目
５  接続片
７  宛先表示シート
１０  段ボール
１０ａ  波形板
１０ｂ  ライナ
１１  外蓋片
１２，２２，３２，４２  底板片（底壁）
１２ｂ，３２ｂ  折り目
１３  係合片
１３ａ  折り目
１４  窓
１６，３６  差込部
２１，４１  中蓋片
２３，２４，４３，４４  ストッパ片
３１  押え片
３３  切欠き部
３４  係合スリット
５１  折曲げ片
７１  宛先表示部
【図１】
2004175454.tif 000003
【図２】
2004175454.tif 000004
【図３】
2004175454.tif 000005
【図４】
2004175454.tif 000006
【図５】
2004175454.tif 000007
【図６】
2004175454.tif 000008
【図７】
2004175454.tif 000009
【図８】
2004175454.tif 000010
【図９】
2004175454.tif 000011
【図１０】
2004175454.tif 000012
【図１１】
2004175454.tif 000013
【図１２】
2004175454.tif 000014
【図１３】
2004175454.tif 000015
【図１４】
2004175454.tif 000016